(57)【要約】【課題】分解または組み立てが容易であり、清掃が容易な収納ボックス及びこの収納ボックスを備えるキャビネットを提供する。【解決手段】本発明の収納ボックス（１）は、上方に開口した収納部本体（２）と、前記収納部本体と別体で形成され、前記収納部本体に着脱可能に取り付けられ、前記収納部本体の底面を構成する底面部（４）を有する底部材（３）と、前記底部材に一部が固定され、前記底部材の上方に延出して設けられる取出部（５）と、を備えることを特徴とする。【選択図】図９
2019115599.tif 000002
【特許請求の範囲】
【請求項１】
上方に開口した収納部本体と、
前記収納部本体と別体で形成され、前記収納部本体に着脱可能に取り付けられ、前記収納部本体の底面を構成する底面部を有する底部材と、
前記底部材に一部が固定され、前記底部材の上方に延出して設けられる取出部と、
を備えることを特徴とする収納ボックス。
【請求項２】
前記取出部が上下方向に延びる平板状に形成され、
前記取出部が前記収納部本体の収納スペースの間仕切壁を兼ねるように構成されている
請求項１に記載の収納ボックス。
【請求項３】
前記取出部に、包丁が収容可能な包丁収容部を備える
請求項１または請求項２に記載の収納ボックス。
【請求項４】
前記収納部本体の内面に上下方向に延びるガイド部が形成され、
前記取出部に前記ガイド部に対してスライド可能な被ガイド部が形成されている
請求項１から請求項３のいずれか一項に記載の収納ボックス。
【請求項５】
前記ガイド部が前記収納部本体の前記内面の水平方向中央部からオフセットされた位置に形成され、
前記取出部に形成される前記被ガイド部は、前記底部材における水平方向中央部からオフセットされた位置であって、前記底部材が前記収納部本体に取り付けられたときに前記ガイド部に対向する位置に形成されている
請求項４に記載の収納ボックス。
【請求項６】
前記収納部本体は、平面視で幅方向に長い形状を有し、長辺側面と、前記長辺側面と交差する短辺側面とを有し、
前記底面部は平板状に形成されており、前記底面部の少なくとも一部に、水平方向に対して傾斜する傾斜面が形成され、
前記傾斜面が前記長辺側面と鋭角または鈍角を成すように、前記底部材が前記収納部本体に取り付けられる
請求項１から請求項５のいずれか一項に記載の収納ボックス。
【請求項７】
前記底部材または前記収納部本体のいずれか一方に突部が形成され、他方に前記突部が挿入可能な凹部が形成され、
前記底部材と前記収納部本体とが前記突部と前記凹部とで係止される
請求項１から請求項６のいずれか一項に記載の収納ボックス。
【請求項８】
板材が設けられた収納部と、
請求項１から請求項７のいずれか一項に記載の収納ボックスと、を備え、
前記収納ボックスの前記収納部本体は、前記板材に着脱可能に取り付けられ、
前記収納ボックスの前記底面を構成する前記底部材は前記収納部本体に着脱可能に係止されており、前記収納部本体が前記板材に取り付けられた状態で、前記取出部を介して前記底部材のみを取り外し可能に構成されていることを特徴とするキャビネット。
【発明の詳細な説明】
【技術分野】
【０００１】
本発明は、収納ボックス及びキャビネットに関する。
【背景技術】
【０００２】
台所や洗面所等には、収納部がシンクの下方に設けられたキャビネットが設置されており、例えば、台所や洗面所で使用される物品が収納される。例えば、特許文献１には、流し台やコンロ台を取り付け可能な天板の下方に引き出しが設けられ、引き出しの前板の背面に縦形ポケットが設けられている厨房家具が開示されている。特許文献１の縦形ポケットは、上方に開口し、しゃもじ、菜箸等、使用頻度が高く、長尺かつ自立し難い物品を収容するように構成されている。
【先行技術文献】
【特許文献】
【０００３】
【特許文献１】特許第４３６３８７６号公報
【発明の概要】
【発明が解決しようとする課題】
【０００４】
台所や洗面所で使用される物品を収容する収納ケースは、水を使用するスペースに設けられるために汚れやすい一方、清潔に保つことが望まれるため、清掃しやすい収納ケースが望まれている。しかし、長尺物を起立状態で収容する縦長の収納ケースは奥行きが深いため、底部の清掃が難しい。特許文献１の縦形ポケットは、引き出しの前板の背面に着脱可能に設けられている。しかし、縦形ポケットを前板から着脱する際、各部位を分解または組み立てる作業に手間がかかる。
【０００５】
上記事情を踏まえ、本発明は、分解または組み立てが容易であり、清掃が容易な収納ボックス及びこの収納ボックスを備えるキャビネットを提供することを目的とする。
【課題を解決するための手段】
【０００６】
本発明に係る収納ボックスは、上方に開口した収納部本体と、前記収納部本体と別体で形成され、前記収納部本体に着脱可能に取り付けられ、前記収納部本体の底面を構成する底面部を有する底部材と、前記底部材に一部が固定され、前記底部材の上方に延出して設けられる取出部と、を備えることを特徴とする。
【０００７】
この発明によれば、収納部本体の底面を構成する底面部を有する底部材が収納部本体と別体で形成され、底部材が収納部本体に着脱可能に取り付けられるため、収納ボックスの底面部が取り外し可能となる。その結果、分解または組み立てが容易な収納ボックスを提供できる。また、底部材に一部が固定され、上方に延出して設けられる取出部を備えるため、使用者は底部材より上方に延出する取出部を把持することで、底部材を収納部本体に容易に着脱できる。
【０００８】
本発明に係る収納ボックスでは、前記取出部が上下方向に延びる平板状に形成され、前記取出部が前記収納部本体の収納スペースの間仕切壁を兼ねるように構成されていてもよい。
【０００９】
この発明によれば、底部材から上方に延出して設けられる取出部が平板状に形成されて収納スペースの間仕切壁を兼ねるため、底部材を収納部本体に取り付けた使用時には、取出部を収納スペースの間仕切壁として機能させることができる。また、把手として機能する取出部を間仕切壁とは別に設ける場合に比べて収納部本体の収納スペースを有効活用することができる。また、収納ボックスをシンプルな外観とすることができる。
【００１０】
本発明に係る収納ボックスでは、前記取出部に、包丁が収容可能な包丁収容部を備えてもよい。
【００１１】
この発明によれば、底部材から上方に延出して設けられる取出部が包丁収容部を備えるため、清潔に保つことが望まれる包丁収容部を収納部本体から容易に取り出すことができ、容易に清掃できる。
【００１２】
本発明に係る収納ボックスでは、前記収納部本体の内面に上下方向に延びるガイド部が形成され、前記取出部に前記ガイド部に対してスライド可能な被ガイド部が形成されていてもよい。
【００１３】
この発明によれば、取出部の被ガイド部を収納部本体の内面に上下方向に延びるガイド部に沿って誘導することができ、底部材を収納部本体に円滑に着脱できる。また、底部材を収納部本体に取り付ける際に、被ガイド部をガイド部に当接させることにより、底部材の収納部本体に対する位置を容易に位置決めできる。
【００１４】
本発明に係る収納ボックスでは、前記ガイド部が前記収納部本体の前記内面の水平方向中央部からオフセットされた位置に形成され、前記取出部に形成される前記被ガイド部は、前記底部材における水平方向中央部からオフセットされた位置であって、前記底部材が前記収納部本体に取り付けられたときに前記ガイド部に対向する位置に形成されていてもよい。
【００１５】
この発明によれば、ガイド部及び被ガイド部は、それぞれ水平方向の位置が中央部よりもオフセットされた位置であって、底部材が収納部本体に取り付けられた時に互いに対向する位置に形成されているため、底部材の取付時にガイド部に被ガイド部を対向配置することにより位置決めできる。また、ガイド部及び被ガイド部が水平方向中央部よりオフセットされた位置に形成されるため、底部材を収納部本体内に対して誤って配置した場合、被ガイド部がガイド部と対向配置されない。その結果、底部材を収納部本体内に対して誤って取り付けることを防止できる。
【００１６】
本発明に係る収納ボックスでは、前記収納部本体は、平面視で幅方向に長い形状を有し、長辺側面と、前記長辺側面と交差する短辺側面とを有し、前記底面部は平板状に形成されており、前記底面部の少なくとも一部に、水平方向に対して傾斜する傾斜面が形成され、前記傾斜面が前記長辺側面と鋭角または鈍角を成すように、前記底部材が前記収納部本体に取り付けられてもよい。
【００１７】
この発明によれば、収納部本体の長辺側面と鋭角または鈍角を成す傾斜面が底部に設けられるため、例えば、まな板等の平板状の物品を起立状態で収容する場合に、平板状の物品の下端部が傾斜面に沿って底面部の下部に誘導される。その結果、傾斜面により平板状の物品が傾斜した状態が保持され、収納ボックス内で安定して収容される。
【００１８】
本発明に係る収納ボックスでは、前記底部材または前記収納部本体のいずれか一方に突部が形成され、他方に前記突部が挿入可能な凹部が形成され、前記底部材と前記収納部本体とが前記突部と前記凹部とで係止されてもよい。
【００１９】
この発明によれば、底部材と収納部本体とが突部と凹部とで係止されるため、着脱可能な底部材が収納部本体に取り付けられた状態が安定して保たれ、底部材が外れることを防止できる。
【００２０】
本発明に係るキャビネットは、板材が設けられた収納部と、上記の収納ボックスと、を備え、前記収納ボックスの前記収納部本体は、前記板材に着脱可能に取り付けられ、前記収納ボックスの前記底面を構成する前記底部材は前記収納部本体に着脱可能に係止されており、前記収納部本体が前記板材に取り付けられた状態で、前記取出部を介して前記底部材のみを取り外し可能に構成されていることを特徴とする。
【００２１】
この発明によれば、収納部の板材に取り付けられた収納ボックスの収納部本体から底部材を取出部を用いて取り外すことができる。したがって、収納ボックスの分解または組み立てが容易であり、清掃が容易となるキャビネットを提供できる。
【発明の効果】
【００２２】
本発明によれば、分解または組み立てが容易であり、清掃が容易な収納ボックス及びこの収納ボックスを備えるキャビネットを提供できる。
【図面の簡単な説明】
【００２３】
【図１】本発明の第一実施形態及び第二実施形態に係る収納ボックスを備えるキッチンキャビネットの一例を示す斜視図である。
【図２】本発明の第一実施形態及び第二実施形態に係る収納ボックスがキッチンキャビネットの引き出しの前板に取り付けられた状態を示す斜視図である。
【図３】本発明の第一実施形態の収納部本体を示す平面図である。
【図４】本発明の第一実施形態の底部材及び取出部を示す斜視図である。
【図５】本発明の第一実施形態の底部材及び取出部を示す正面図である。
【図６】本発明の第一実施形態に係る収納ボックスの取付構造を示す縦断面図である。
【図７】本発明の第一実施形態の収納部本体を示す縦断面図である。
【図８】本発明の第一実施形態の底部材及び取出部を示す側面図である。
【図９】本発明の第一実施形態に係る収納ボックスの取付構造を示す分解斜視図である。
【図１０】本発明の第一実施形態の変形例を示す分解斜視図である。
【図１１】本発明の第二実施形態の収納部本体を示す斜視図である。
【図１２】本発明の第二実施形態の底部材及び取出部を示す斜視図である。
【図１３】本発明の第二実施形態に係る収納ボックスの取付構造を示す分解斜視図である。
【図１４】本発明の第二実施形態に係る収納ボックスの取付構造を示す縦断面図である。
【発明を実施するための形態】
【００２４】
（第一実施形態）
以下、本発明の第一実施形態に係る収納ボックス１について図面を用いて説明する。図１は、本実施形態に係る収納ボックス１を備えるキッチンキャビネット１００の一例を示す斜視図である。図２は、本実施形態に係る収納ボックス１がキッチンキャビネット１００の引き出し１０２の前板１０３に取り付けられた状態を示す斜視図である。図１及び図２には、後述する第二実施形態に係る収納ボックス１Ａも併せて図示している。
【００２５】
本発明に係る収納ボックス１は、台所や洗面所で使用されるキャビネットの収納部に取り付けて使用される。本実施形態では、キッチンキャビネット（キャビネット）１００に収納ボックス１を設ける例を示す。キッチンキャビネット１００は、支持体となるキャビネット本体１０１と、キャビネット本体１０１上に設けられた天板１０４及びシンク１０５と、キャビネット本体１０１の側面に設けられた抽斗（収納部）１０２とを備える。キッチンキャビネット１００には、この他、不図示の水栓や加熱器具が適宜設けられる。
【００２６】
以下の説明において、キッチンキャビネット１００を使用する使用者がシンク１０５と向き合ったときの左右方向を幅方向と称する。キッチンキャビネット１００が設置される床面Ｆに直交する方向を上下方向と適宜称する。また、上記幅方向及び上下方向と直交する方向を奥行方向と称し、使用者側を手前側、反対側を奥側と称する。
【００２７】
キャビネット本体１０１には、複数のレールを備える公知のレールユニット１０７が取り付けられている。抽斗１０２は、レールユニット１０７を介してキャビネット本体１０１の側方に出し入れ可能に設けられ、上側から物品を収納可能に構成されている。抽斗１０２には前板（板材）１０３が設けられている。
【００２８】
シンク１０５の下方に設けられた抽斗１０２内には、前板１０３の裏面側に、収納ボックス１が取り付けられている。図２に示すように、前板１０３の裏面には、二本のレール部材（上被係止部、下被係止部）６，７が上下に平行に並んで固定されている。収納ボックス１は、二本のレール部材６，７を介して前板１０３に着脱可能に取り付けられる。収納ボックス１の取付構造は後述する。
【００２９】
収納ボックス１は、上方に開口し、長尺な各種調理器具等の物品を収納可能な略直方体形状の箱体である。収納ボックス１は、収納部本体２と、底部材３と、取出部５とを備える。
【００３０】
図３は、本実施形態の収納部本体２を示す平面図である。図２及び図３に示すように、収納部本体２は平面視で幅方向に長い形状を有し、幅方向に沿って配置される二つの長辺側面２３１，２３２と、長辺側面２３１，２３２の端部から交差する方向に延びる二つの短辺側面２４，２４とを備える。二つの長辺側面２３１，２３２のうち、手前側に配置される長辺側面２３１が抽斗１０２の前板１０３と対向するように配置される。
【００３１】
収納部本体２は、上方及び下方に開口した矩形の筒状部材である。図２に示すように、収納部本体２の上部は、手前側の長辺側面２３１から奥側の長辺側面２３２に向かって下降するように傾斜した開口部２１を有する。手前側の長辺側面２３１は、奥側の長辺側面２３２の下端よりも下端位置が低くなるように設けられている（図７参照）。収納部本体２の下部の開口部２８には、収納部本体２の４つの側面２３１，２３２，２４，２４の下端部からそれぞれ曲折して開口部２８側に延びる開口縁部２６が形成されている。２つの長辺側面２３１，２３２との境界部近傍の開口縁部２６には、上下方向に貫通する係止孔（凹部）２７が合計４か所形成されている。
【００３２】
図７は、本実施形態の収納部本体２を示す縦断面図である。図７に示すように、収納部本体２の奥行方向の寸法は、上部の内寸Ｌ２ｕが下部の内寸Ｌ２ｄより大きくなるように長辺側面２３１，２３２が僅かに傾斜している。
【００３３】
収納部本体２の短辺側面２４，２４の各内面２２には、上下方向に延びて、内側に突出するガイド部２５，２５が形成されている。ガイド部２５，２５は、上下方向に長尺な細い棒状の突起である。各短辺側面２４，２４のガイド部２５，２５は、収納部本体２の上部の内寸Ｌ２ｕの中央部（水平方向中央部）Ｍ２よりも奥側にオフセットされた位置に形成されている。具体的には、ガイド部２５の奥行方向の位置は、奥側の長辺側面２３２の内面とガイド部２５との間の長さＬ２ｂが手前側の長辺側面２３２の内面とガイド部２５との間の長さＬ２ｆより短くなる位置に設けられている。
【００３４】
図４は、本実施形態の底部材３及び取出部５を示す斜視図である。図５は、本実施形態の底部材３及び取出部５を示す正面図である。図６は、本実施形態に係る収納ボックス１の取付構造を示す縦断面図である。図８は、本実施形態の底部材３及び取出部５を示す側面図である。
【００３５】
図６に示すように、収納部本体２の手前側の長辺側面２３１の上端部には、外側（手前側）に突出し、下方に延びる上係止部８が形成されている。本実施形態では、上係止部８は、収納部本体２の幅方向に離間して３か所形成されている。
【００３６】
図６に示すように、収納部本体２の手前側の長辺側面２３１の下端部には、外側（手前側）に突出する下支持部９０が形成されている。本実施形態では、下支持部９０は、収納部本体２の幅方向の中央部に１か所形成されているが、複数個所に分散配置する構成であってもよい。
【００３７】
底部材３は、収納部本体２と別体で形成され、収納部本体２に着脱可能に取り付けられる部材である。図４から図６に示すように、底部材３は、収納部本体２の底面を構成する底面部４を有する。底面部４は、幅方向に長い板状に形成されており、収納部本体２の下部の開口部２８に配置されて収納部本体２の底面を構成する。
【００３８】
図５は、底部材３及び取出部５を手前側から見た図である。手前側の底面部４は、幅方向両側より中央部の高さが低い位置に配置されており段差が形成されている。図４及び図５に示すように、底面部４の奥行方向の両縁端部には、下方に突出する突起部（突部）３１が合計４か所形成されている。
【００３９】
底部材３の上面側には、間仕切壁５が上面から上方に向かって立設されている。間仕切壁５は底部材３と一体に形成されており、取出部５の機能を兼ねる。間仕切壁５は、底部材３を収納部本体２に着脱する際の把手として機能する。つまり、使用者が間仕切壁５を把持して上方に引き上げると底部材３も引き上げられるように間仕切壁５が把手として機能する。
【００４０】
間仕切壁５は、底部材３と一体に形成され、幅方向に沿って配置された主壁５２と、主壁５２に直交して奥行方向に延設される２つの補助壁５３とを備える。図８に示すように、主壁５２は、底部材３の上部の奥行方向の寸法Ｌ５ｕの中央部Ｍ５よりも奥側にオフセットされた位置に形成されている。本実施形態では、底部材３の奥側端部と主壁５２との間の長さＬ５ｂが底部材３の手前側端部と主壁５２との間の長さＬ５ｆより短くなる位置に主壁５２が配置されている。
【００４１】
主壁５２の幅方向の両端部には、幅方向外側に開口し、上下方向に延びるガイド溝（被ガイド部）５１，５１が形成されている。ガイド溝５１，５１は、下端部側の開口幅Ｌ５１１と、上端部側の開口幅Ｌ５１２との寸法が異なる。具体的には、下端部側の開口幅Ｌ５１１が上端部側の開口幅Ｌ５１２より大きくなるように、ガイド溝５１，５１の内面が傾斜して形成されている。上端部側の開口幅Ｌ５１２は、ガイド部２５が挿入可能な程度にガイド部２５より僅かに広い寸法を有する。図４に示すように、主壁５２の下部には、主壁５２の厚さ方向に貫通し、幅方向に延びる長孔５６が形成されている。
【００４２】
各補助壁５３は、縦スリット５４と、保持板５７と、下端爪５５とを備える。縦スリット５４は主壁５２を挿入可能な開口寸法で上下方向に延びて形成されている。保持板５７は、縦スリット５４に沿って幅方向に延設された一対の平板部である。下端爪５５は、保持板５７の下端の縦スリット５４の内面に奥行方向に向かって突出して形成されている。
【００４３】
図８に示すように、底部材３の底面部４の奥行方向の寸法Ｌ４は、間仕切壁５の上部の奥行方向の寸法Ｌ５ｕより僅かに小さい。底面部４の奥行方向の寸法Ｌ４は、収納部本体２の下部の内寸Ｌ２ｄに略等しい。
【００４４】
間仕切壁５では、補助壁５３の縦スリット５４に主壁５２が挿入され、下端爪５５，５５が長孔５６に挿入されて係止されており、主壁５２と補助壁５３，５３とは係合した状態で保持される。そのため、補助壁５３が主壁５２に係合した状態では、使用者が補助壁５３を把持して上方に引き上げる場合も主壁５２及び底部材３が引き上げられ、補助壁５３も取出部５として機能する。補助壁５３を僅かに撓ませて下端爪５５，５５の長孔５６への係止を解除すると、補助壁５３，５３を主壁５２から外すことができる。そのため、底部材３及び取出部５の清掃時には、主壁５２と補助壁５３，５３とを分解して清掃できる。
【００４５】
次に、抽斗１０２の前板１０３に対する収納ボックス１の取付構造について図６及び図９を参照して説明する。図９は、本実施形態に係る収納ボックス１の取付構造を示す分解斜視図である。
【００４６】
上述の通り、抽斗１０２の前板１０３の裏面には、上レール部材６及び下レール部材７の二本のレール部材が上下に平行に並んで固定されている。図６に示すように、上レール部材６は、固定部６１と上フック６２とを備える。固定部６１は、平板形状であり前板１０３に固定されている。上フック６２は、固定部６１から奥側に突出して上方に延びて形成されている。上レール部材６は、固定部６１と上フック６２とが幅方向に沿って延びる長尺部材である。
【００４７】
下レール部材７は、固定部７１と下フック７２とを備える。固定部７１は、平板形状であり前板１０３に固定されている。下フック７２は、固定部７１から奥側に突出して下方に延びて形成されている。下レール部材７は、固定部７１と下フック７２とが幅方向に沿って延びる長尺部材である。
【００４８】
上レール部材６の上フック６２と下レール部材７の下フック７２とは、互いに離反する方向に曲折した外フック部を構成する。
【００４９】
収納部本体２は、上レール部材６の上方から上レール部材６側に近付けて、上フック６２に上係止部８を引っ掛ける。図６に示すように、収納部本体２の上係止部８が上レール部材６の上フック６２に係止され、下支持部９０を下レール部材７の下フック７２の上部に載置し、下支持部９０を固定部７１の奥側の面に当接させる。この構成により、収納部本体２は、上レール部材６で上部が係止され、収納部本体２の下部が下レール部材７で支持される。また、下支持部９０を下レール部材７の固定部７１の奥側の面に当接させているため、収納部本体２の下部の奥行方向へのがたつきを抑えて安定的に係止される。このようにして、収納部本体２は、上レール部材６及び下レール部材７を介して前板１０３に着脱可能に取り付けられる。
【００５０】
図６に示すように、底部材３及び間仕切壁（取出部）５は、収納部本体２の収納スペースＳ１内に配置されている。底部材３の底面部４が収納部本体２の下部の開口縁部２６に当接して支持され、開口部２８を塞ぐように底部材３が収納部本体２に配置され、底面部４の各突起部３１が収納部本体２の下部の係止孔２７に挿通されて係止される。また、図８に示すガイド溝５１内に、図７に示す収納部本体２のガイド部２５が挿入されることにより、間仕切壁５が収納部本体２に係止される。この結果、底部材３及び間仕切壁５が収納部本体２に係止される。また、底部材３及び間仕切壁５が収納部本体２内でがたつくことを防ぎ、底部材３及び間仕切壁５が安定した状態で係止される。
【００５１】
底部材３及び間仕切壁５の着脱方法を説明する。使用者は、取出部として機能する間仕切壁５を把持しながら、前板１０３に係止されている収納部本体２の上方から底部材３を近付け、上部の開口部２１に底部材３を挿入する。このとき、底部材３の底面部４の奥行方向の寸法Ｌ４（図８参照）は、収納部本体２の上部の内寸Ｌ２ｕ（図７参照）より小さい。そのため、底部材３を円滑に収納部本体２内に挿入できる。また、収納部本体２の下部の内寸Ｌ２ｄと底部材３の奥行方向の寸法Ｌ４が近似しているため、底部材３が収納部本体２の下部の開口部２８に配置されると、底部材３が収納部本体２の下部に安定的に配置される。
【００５２】
また、底部材３を収納部本体２内に挿入する際、間仕切壁５の主壁５２の幅方向両端部のガイド溝５１をガイド部２５の位置に位置合わせし、ガイド溝５１の下端部内にガイド部２５の上端部が挿入されるように配置する。ガイド部２５とガイド溝５１とは、それぞれ奥行方向の位置が中央部Ｍ２，Ｍ５よりもオフセットされた位置であって、底部材３設置時に互いに対向する位置に形成されている。そのため、底部材３を収納部本体２内に挿入する際、挿入する向きを間違えるとガイド部２５とガイド溝５１との位置がずれて、底部材３の縁部がガイド部２５に接触して挿入できない。この結果、底部材３の収納部本体２内への挿入時に、誤って取り付けることを防止できる。
【００５３】
さらに、ガイド溝５１は、下端部側の開口幅Ｌ５１１が上端部側の開口幅Ｌ５１２より大きくなるように、ガイド溝５１，５１の内面が傾斜して形成されている。そのため、底部材３を収納部本体２内に挿入する際、ガイド部２５をガイド溝５１内に挿入しやすい。加えて、ガイド溝５１の上端部側の開口幅Ｌ５１２は、ガイド部２５が挿入可能な程度にガイド部２５より僅かに広い寸法を有するため、底部材３が収納部本体２の下部の開口部２８に配置されるとガイド部２５の上部がガイド溝５１の上端部とが係止され、主壁５２が収納部本体２内でがたつくことがなく保持される。
【００５４】
底部材３が収納部本体２の下部の開口部２８に配置されると底面部４の各突起部３１が収納部本体２の下部の係止孔２７に挿通され、底部材３及び間仕切壁５は、収納部本体２に着脱可能に係止される。
【００５５】
収納ボックス１を清掃する場合等、底部材３を収納部本体２から取り外すときは、使用者が取出部である間仕切壁５を把持して上方に引き上げると、各突起部３１が各係止孔２７から外れ、簡単に底部材３を収納部本体２から取り外すことができる。この場合も、ガイド溝５１の下端部側の開口幅Ｌ５１１が広く形成されているため、円滑に取り外すことができる。同様に、底部材３の底面部４の寸法より収納部本体２の上部の開口寸法の方が大きいため、円滑に取り外すことができる。
【００５６】
このように、収納部本体２と底部材３とを別部材で構成し、底部材３を収納部本体２から容易に取り外すことができる。また、収納部本体２が抽斗１０２の前板１０３に取り付けられた状態で、底部材３を取り外すことができる。この結果、底面部４を容易に清掃できる。特に、長尺な物品を収納する従来の収納ボックスの場合、収納スペース内の深さが深いため、底部に手が届き難く清掃し難いが、本発明に係る収納ボックス１は、底部材３を容易に取り外して清掃できる。
【００５７】
本実施形態に係る収納ボックス１によれば、収納部本体２の底面を構成する底面部４を有する底部材３が収納部本体２と別体で形成され、底部材３が収納部本体２に着脱可能に取り付けられるため、収納ボックス１の底面部４が取り外し可能となる。その結果、分解または組み立てが容易な収納ボックス１を提供できる。また、底部材３に一部が固定され、上方に延出して設けられる取出部５を備えるため、使用者は底部材３より上方に延出する取出部５を把持することで、底部材３を収納部本体２に容易に着脱できる。
【００５８】
本実施形態に係る収納ボックス１によれば、底部材３から上方に延出して設けられる取出部５が平板状に形成されて収納スペースＳ１の間仕切壁５を兼ねるため、底部材３を収納部本体２に取り付けた使用時には、取出部５を収納スペースＳ１の間仕切壁５として機能させることができる。また、把手として機能する取出部を間仕切壁とは別に設ける場合に比べて収納スペースＳ１を有効活用することができる。また、収納ボックス１をシンプルな外観とすることができる。
【００５９】
本実施形態に係る収納ボックス１によれば、収納部本体２の内面２２に上下方向に延びるガイド部２５を取出部５のガイド溝５１に挿入することにより、取出部５を収納部本体２に円滑に着脱できる。また、底部材３を収納部本体２に取り付ける際に、ガイド溝５１内でガイド部２５を相対的にスライドさせることにより、底部材３の収納部本体２に対する位置を容易に位置決めできる。
【００６０】
本実施形態に係る収納ボックス１によれば、ガイド部２５及びガイド溝５１は、それぞれ奥行方向（水平方向）の位置が中央部Ｍ２，Ｍ５よりもオフセットされた位置であって、底部材３が収納部本体２に取り付けられた時に互いに対向する位置に形成されているため、底部材３を収納部本体２内に対して誤って取り付けることを防止できる。
【００６１】
本実施形態に係る収納ボックス１によれば、底部材３と収納部本体２とが突起部３１と係止孔２７とを介して係止されるため、着脱可能な底部材３が収納部本体２に取り付けられた状態が安定して保たれ、底部材３が外れることを防止できる。
【００６２】
本実施形態に係るキッチンキャビネット１００によれば、抽斗１０２の前板１０３に取り付けられた収納ボックス１の収納部本体２から、間仕切壁５を用いて底部材３を取り外すことができる。したがって、収納ボックス１の分解または組み立てが容易であり、清掃が容易となるキッチンキャビネット１００を提供できる。
【００６３】
本実施形態では、間仕切壁５が取出部の機能を兼ねる例を示したが、取出部の構成はこれに限定されない。取出部は、底部材３に一部が固定され、底部材３を収納部本体２から容易に取り出し可能な把手として機能すればよく、他の機能と兼ねる構成は必須ではない。例えば、図１０に示す変形例のように、底部材３の底面部４の端部から上方に向かって伸びる棒状の取出部５Ｂを設ける構成であってもよい。この場合、取出部５Ｂには、収納部本体２の側壁と対向する面に第一実施形態と同様にガイド溝５１を形成し、収納部本体２に設けられた突状のガイド部２５と係止される構成を備えると、底部材３を収納部本体２に安定的に配置できる。なお、ガイド溝５１とガイド部２５とを介して収納部本体２と取出部とを係止させる構成は必須ではない。
【００６４】
取出部は、間仕切壁５に限らず、他の部位の機能を兼ね備える例であってもよい。例えば、収納部本体２の奥側の長辺側面２３２や短辺側面２４等、収納部本体２の一部を底部材３と一体に形成し、取出部として機能するように構成してもよい。例えば、一方の短辺側面２４を底部材３と一体に形成した略Ｌ字型の部材とし、収納部本体２の上端部の開口縁部に短辺側面２４の上部を係止させる構成としてもよい。また、収納部本体２の奥側の長辺側面２３２と底部材３とを一体に形成した略Ｌ字型の部材とし、奥側の長辺側面２３２を取出部として機能させる場合、底部材３及び長辺側面２３２を奥側に取り出す対応も考えられる。但し、抽斗１０２の奥側には他の物品が収納されている場合が多いため、底部材３及び取出部は上方に引き出す構成であると、使用時の利便性が高い。
【００６５】
本実施形態では、間仕切壁５が、主壁５２と２つの補助壁５３とからなる例を示したが、間仕切壁５の構成はこれに限定されず、底部材３から収納部本体２の上部付近まで立設されて、収納スペースＳ１内を適宜間仕切可能な構成であればよい。したがって、間仕切壁５は、補助壁を設けず主壁５２のみを備える構成や、１枚の補助壁あるいは３枚以上の補助壁を備える構成や、主壁５２が奥行方向に延びて立設され、長辺側面２３１，２３２にガイド部が形成される構成であってもよい。
【００６６】
本実施形態では、突起部３１を底部材３に備え、係止孔２７を収納部本体２に備える例を示したが、底部材と収納部本体とのいずれか一方に突起部を設け、他方に係止孔（凹部）を設ける構成であればよい。したがって、収納部本体２の開口縁部２６に突起部を設け、底部材３の底面部４に係止孔を設ける構成であってもよい。
【００６７】
本実施形態では、主壁（取出部）５２にガイド溝５１を設け、収納部本体２の内面２２にガイド部２５を設ける例を示したが、収納部本体２の内面２２にガイド溝を設け、取出部の端部を挿入する構成であってもよい。
【００６８】
本実施形態では、ガイド部２５及びガイド溝５１が、奥行方向の中央部Ｍ２，Ｍ５よりも奥側の長辺側面２３２寄りにオフセットされた位置に配置される例を示したが、手前側の長辺側面２３１寄りにオフセットされた位置に配置しても同様の効果が得られる。
【００６９】
本実施形態では、上係止部８を上レール部材６の上フック６２に係止し、且つ、下支持部９０を下レール部材７の下フック７２の上部に載置し、下支持部９０を固定部７１の奥側の面に当接させて収納部本体２の下部を支持する例を示した。しかし、収納部本体２の前板１０３に対する係止構造はこれに限定されず、収納部本体２が前板１０３に着脱可能に固定される構造であればよい。例えば、下レール部材７を備えず、上係止部８を上レール部材６の上フック６２に係止し、且つ、下支持部９０を前板１０３の裏面に直接当接させる構成であってもよい。
【００７０】
本実施形態では、収納部としての抽斗１０２の前板１０３に収納ボックス１を設ける例を示したが、収納部は、これに限定されず収納棚の前扉に収納ボックス１を設けてもよい。
【００７１】
（第二実施形態）
本発明に係る収納ボックスの第二実施形態について図１及び図１１から図１４を用いて説明する。なお、以下の説明において、上記の第一実施形態と同様の構成には第一実施形態と同一の符号を付し、重複する説明を省略する。
図１１は、本実施形態の収納部本体２Ａを示す斜視図である。図１２は、本実施形態の底部材３Ａ及び取出部５Ａを示す斜視図である。図１３は、本実施形態に係る収納ボックス１Ａの取付構造を示す分解斜視図である。図１４は、本実施形態に係る収納ボックス１Ａの取付構造を示す縦断面図である。
【００７２】
図１に示すように、本発明に係る収納ボックス１Ａは、第一実施形態における間仕切壁５に代えて、包丁２００を収納する包丁収容部５Ａを備える。また、図１４に示すように、包丁収容部５Ａの奥側の収納スペースＳ１Ａには、俎板２０１を収納するための俎板収容部４００が設けられている。
【００７３】
図１１に示すように、収納部本体２Ａは、第一実施形態と同様に平面視で幅方向に長い形状を有し、幅方向に配置される二つの長辺側面２３１Ａ，２３２Ａと、長辺側面２３１Ａ，２３２Ａの端部から交差する方向に延びる二つの短辺側面２４Ａ，２４Ａとを備える。二つの長辺側面２３１Ａ，２３２Ａのうち、手前側に配置される長辺側面２３１Ａが抽斗１０２の前板１０３と対向するように配置される。
【００７４】
収納部本体２Ａは、上方及び下方に開口した矩形の筒状部材である。収納部本体２Ａの上部は、手前側の長辺側面２３１Ａから奥側の長辺側面２３２Ａに向かって下降するように傾斜した開口部２１Ａを有する。手前側の長辺側面２３１Ａは、奥側の長辺側面２３２Ａの下端よりも下端位置が低くなるように設けられている。収納部本体２Ａの下部の開口部２８Ａには、収納部本体２Ａの４つの側面２３１Ａ，２３２Ａ，２４Ａ，２４Ａの下端部に開口縁部２６Ａが形成されている。２つの長辺側面２３１Ａ，２３２Ａとの境界部近傍の開口縁部２６Ａには、上下方向に貫通する係止孔（凹部）２７Ａが形成されている。
奥側の長辺側面２３２Ａは、奥行方向に開口する２つの開口窓２９，２９を備える。
【００７５】
収納部本体２Ａの手前側の長辺側面２３１Ａ及び短辺側面２４Ａ，２４Ａの各内面２２Ａの一部には、補助支持部３０が設けられている。補助支持部３０は、後述する包丁収容部５Ａが当接可能に形成された平板状の厚板部である。長辺側面２３１Ａに位置する補助支持部３０の上端部には、上下方向に延びる係止溝３０１，３０１が形成されている。係止溝３０１，３０１は、幅方向に離間して２か所設けられている。
短辺側面２４Ａ，２４Ａの上部の手前側には幅方向に貫通する係合孔２４１，２４１が形成されている。
【００７６】
図１４に示すように、収納部本体２Ａの手前側の長辺側面２３１Ａの下端部には、外側（手前側）に突出し、上方に延びる下係止部９が形成されている。本実施形態では、下係止部９は、収納部本体２Ａの幅方向に離間して複数個所形成されている。幅方向において、下係止部９は上係止部８の幅方向の位置と異なる位置に設けられている。
【００７７】
図１２は、本実施形態の底部材３Ａ及び取出部５Ａを示す斜視図である。本実施形態では、包丁収容部５Ａが取出部の機能を兼ねる例である。図１２に示すように、包丁収容部５Ａの下部が底部材３Ａの底面部４Ａに一体に形成されている。包丁収容部５Ａは、底部材３Ａの奥行方向の中間部よりも手前側に設けられている。
【００７８】
底部材３Ａは、手前側と奥側とで底面部４Ａの形状が異なる。手前側の底面部４Ａは、包丁収容部５Ａの下方に位置し、幅方向両側より中央部の高さが低い位置に配置されており段差が形成されている。図１２に示すように、底面部４Ａの手前側の端部には、下方に突出する突起部３１Ａが合計３か所形成されている。
【００７９】
図１２及び図１４に示すように、奥側の底面部４Ａは、平板状に形成されており水平方向に対して傾斜する傾斜面４１Ａが形成されている。傾斜面４１Ａは、手前側から奥側に向かって下降するように傾斜している。傾斜面４１Ａには、奥行方向に延びる複数のリブ４２Ａが形成されている。底面部４Ａの奥側の端部には、下方に突出する突起部３１Ａが合計３か所形成されている（図１３参照）。
【００８０】
包丁収容部５Ａは、底部材３Ａの奥行方向中央部の手前側の上方に立設されている。包丁収容部５Ａは、立体形状を有し、包丁収容部本体５００と、パン切用ナイフ収納部５０２と、長物収納部５１０とを備える。包丁収容部本体５００は、複数の包丁の収納部である。パン切用ナイフ収納部５０２は、パン切用ナイフ等、長尺な包丁を挿入する収納部である。長物収納部５１０は、上方に開口し、長尺な物品を収納可能な収納部である。
【００８１】
包丁収容部本体５００は、包丁収容部５Ａの手前側の領域の上部に、包丁収容部５Ａの幅方向の略全域にわたって設けられている。包丁収容部本体５００の奥側に隣接し、幅方向の一方にパン切用ナイフ収納部５０２が設けられている。包丁収容部５Ａの奥側の領域にはパン切用ナイフ収納部５０２及び長物収納部５１０が幅方向に隣接して設けられている。
【００８２】
包丁収容部本体５００は、幅方向に長い略直方体形状を有している。包丁収容部本体５００は、包丁収容部本体５００の上面に設けられる上面板５０９に上下方向に貫通して開口する複数の包丁挿入口５０１が形成されている。各包丁挿入口５０１の縁部上方には、包丁２００の柄を支持する柄支持部５０５が設けられている。各包丁挿入口５０１の下方には包丁２００の刃が収納可能な収納スペースが形成されている。
【００８３】
包丁収容部本体５００には包丁ロック機構を備える。包丁ロック機構は、一枚のロック板５０３と、スライダ５０４とを備える。ロック板５０３は、包丁収容部本体５００の上面板５０９の下方に近接配置され、上面板５０９に沿ってスライド可能に設けられている。スライダ５０４は、ロック板５０３の幅方向端部において、上方に向かって突出して形成されている。ロック板５０３は、上面板５０９の面積よりも小さく、各包丁挿入口５０１に対応する位置に、包丁挿入口５０の位置及び形状に対応して上下方向に貫通する貫通孔５０３１が複数形成されている。
【００８４】
包丁収容部本体５００の上面板５０９には、複数の包丁挿入口５０１の他に開口部５０１１を備える。開口部５０１１の下方からスライダ５０４が挿入され、スライダ５０４が上方に突出して配置される。スライダ５０４を開口部５０１１に沿って幅方向にスライドさせるとロック板５０３が上面板５０９に対して幅方向に移動する。ロック板５０３のスライド移動に伴って、包丁挿入口５０１の開口幅が全開状態と部分開放状態とに変化する。スライダ５０４を開口部５０１１の一方の端部側に配置すると、ロック板５０３が移動して包丁挿入口５０１が全開状態となり、包丁２００が挿入可能となる。スライダ５０４を開口部５０１１の他方の端部側に配置すると、包丁挿入口５０１が部分開放状態となる。全開状態で包丁２００を挿入した後にスライダ５０４をスライド移動させると、包丁挿入口５０１では、柄のみが露出し、包丁２００の刃はロック板５０３の下方に位置して覆われる。この状態で包丁２００に上方へ引き上げる力が加わっても、刃がロック板５０３に当接して上方に引き上げられず、包丁２００が収納状態で保持される。
【００８５】
このように、包丁収容部５Ａに包丁ロック機構を備えると、例えば、子供が抽斗１０２を開けて包丁収容部５Ａに収納されている包丁２００の柄を触っても、包丁２００が包丁挿入口５０１から引き出されることを防ぐことができる。
【００８６】
包丁収容部本体５００の幅方向両側の側面壁５０８には、Ｕ字型のスリット５０８１が形成され、スリット５０８１で囲まれた部分は外力が付与されると撓む弾性片５０８２となる。弾性片５０８２の上端部には、係合ボタン５０７が設けられている。係合ボタン５０７は、側面壁５０８から幅方向外側に突出している。
【００８７】
パン切用ナイフ収納部５０２は、上面に包丁収容部本体５００と同様に包丁挿入口５０１及び柄支持部５０５ａが設けられている。包丁挿入口５０１の下方は周囲が壁部で囲まれた収納スペースが形成されている。パン切用ナイフ収納部５０２は、その他の料理用の包丁２００よりも長尺な包丁を水平方向に対して傾斜させて収納する。図１３及び図１４に示すように、パン切用ナイフ収納部５０２の柄支持部５０５ａは、奥行方向から見ると略三角形状の平板である。柄支持部５０５ａの傾斜部にパン切用ナイフ等、長尺な包丁の柄を当接させて、包丁が斜めに挿入された状態を保持するように構成されている。
【００８８】
長物収納部５１０は、パン切用ナイフ収納部５０２と連設され、上面に開口が形成されて、上下方向に長い収納スペースＳ５１０が形成されている。
【００８９】
収納ボックス１Ａの取付構造について図１３及び図１４を参照して説明する。第一実施形態と同様に、抽斗１０２の前板１０３の裏面に上レール部材６及び下レール部材７が固定されている。
【００９０】
収納部本体２Ａは、上レール部材６の上方から上レール部材６に係止されている。図１４に示すように、収納部本体２Ａの上係止部８が上レール部材６の上フック６２に係止され、下係止部９の係止爪９２が下レール部材７の下フック７２に係止されている。この構成により、収納部本体２は、上レール部材６で上部が係止され、収納部本体２の下部が下レール部材７で係止される。収納部本体２は、上レール部材６及び下レール部材７を介して前板１０３に着脱可能に取り付けられる。
【００９１】
底部材３Ａ及び包丁収容部（取出部）５Ａは、収納部本体２Ａの収納スペースＳ１Ａ内に配置されている。底部材３Ａの底面部４Ａが収納部本体２Ａの下部の開口部２８Ａを塞ぐように、底部材３Ａが収納部本体２Ａ内に配置され、底面部４Ａの各突起部３１Ａが収納部本体２Ａの下部の係止孔２７Ａに挿通されて係止される。また、補助支持部３０の係止溝３０１内に、図１２に示す包丁収容部本体５００の手前側の側壁の下端部５０６が挿入されることにより、包丁収容部５Ａが収納部本体２Ａに係止される。この結果、底部材３Ａ及び包丁収容部５Ａが収納部本体２Ａ内でがたつくことを防ぎ、底部材３及び包丁収容部５Ａが安定した状態で係止される。
【００９２】
さらに、弾性片５０８２が撓み包丁収容部５Ａの各係合ボタン５０７が収納部本体２Ａの各短辺側面２４Ａの上部に形成された各係合孔２４１に係合し、包丁収容部５Ａが収納部本体２Ａに係止される。したがって、係合ボタン５０７により、包丁収容部５Ａの収納部本体２Ａに対する上方への移動が規制される。この構成により、包丁２００が包丁ロック機構によりロックされている状態で、包丁２００が上方に引っ張られた場合など、包丁２００が包丁収容部５Ａに下方から接触しても、包丁収容部５Ａが上方に移動することを防いで、包丁収容部５Ａが収納部本体２Ａ内に保持される。
【００９３】
図１４に示すように、収納部本体２Ａの奥側の長辺側面２３２Ａと、底部材３Ａの傾斜面４１Ａと、包丁収容部５Ａとで囲まれたスペースが俎板収容部４００となる。俎板収容部４００は、幅方向に細長いスペースであり、底部３Ａが傾斜面４１Ａで構成されている。そのため、俎板収容部４００に平板形状の俎板２０１を挿入すると、収納部本体２Ａの奥側の長辺側面２３２と傾斜面４１Ａとの境界部分の最も高さが低い位置に俎板２０１の端部が誘導され、俎板２０１が傾斜して収納された状態が保持される。この結果、抽斗１０２が奥行方向に出し入れされても、俎板２０１が傾斜した状態が保持されやすい。したがって、抽斗１０２の移動時も俎板２０１が俎板収容部４００内で移動することを防ぐことができる。
【００９４】
例えば、特開２０１０−２３３８４７号公報に開示のキャビネットのように、抽斗１０２の前板１０３が、抽斗１０２の下端部を軸として手前側に回動する構成の場合でも、本実施形態の俎板収容部４００であれば、俎板２０１が俎板収容部４００で移動することを防ぎ、抽斗１０２の出し入れ時の静音性を高めることができる。
【００９５】
なお、俎板収容部４００内で俎板２０１のような平板形状の物品を安定した状態で保持する目的において、傾斜面４１Ａは、奥側から手前側に向かって下降するように傾斜する構成であってもよい。
【００９６】
次に、底部材３Ａ及び包丁収容部５Ａの着脱方法を説明する。使用者は、取出部として機能する包丁収容部５Ａを把持しながら、前板１０３に係止されている収納部本体２Ａの上方から近付け、上部の開口部２１に底部材３を挿入する。このとき、底部材３Ａの底面部４Ａの奥行方向の寸法Ｌ４（図８参照）は、収納部本体２の上部の内寸Ｌ２ｕ（図７参照）より小さい。そのため、底部材３を円滑に収納部本体２内に挿入できる。また、収納部本体２の下部の内寸Ｌ２ｄと底部材３の奥行方向の寸法Ｌ４が近似しているため、底部材３Ａが収納部本体２Ａの下部の開口部２８Ａに配置されると、底部材３Ａが収納部本体２Ａの下部に安定的に配置される。
【００９７】
次に、収納ボックス１Ａを清掃する場合等、底部材３Ａを収納部本体２Ａから取り外す。このとき、使用者は、幅方向両側の係合ボタン５０７を押し込んで係合孔２４１と係合ボタン５０７との係合を解除しながら、取出部である包丁収容部５Ａを把持して上方に引き上げると、各突起部３１Ａが各係止孔２７Ａから外れ、簡単に底部材３Ａを収納部本体２Ａから取り外すことができる。この場合も、第一実施形態と同様に、底部材３Ａの底面部４Ａの寸法より収納部本体２Ａの上部の開口寸法の方が大きいため、円滑に取り外すことができる。
【００９８】
このように、収納部本体２Ａと底部材３Ａとを別部材で構成し、底部材３Ａを収納部本体２Ａから容易に取り外すことができる。また、収納部本体２Ａが抽斗１０２の前板１０３に取り付けられた状態で、底部材３Ａを取り外すことができる。この結果、底面部４Ａを容易に清掃できる。特に、長尺な物品を収納するために収納スペースＳ１内の深さが深い場合も、本発明に係る収納ボックス１は、底部材３を容易に取り外して清掃できる。
【００９９】
本実施形態に係る収納ボックス１Ａによれば、第一実施形態と同様に、収納部本体２Ａの底面を構成する底面部４Ａを有する底部材３Ａが収納部本体２Ａと別体で形成され、底部材３Ａが収納部本体２Ａに着脱可能に取り付けられるため、収納ボックス１Ａの底面部４Ａが取り外し可能となる。その結果、分解または組み立てが容易な収納ボックス１Ａを提供できる。また、底部材３Ａに一部が固定され、上方に延出して設けられる取出部５Ａを備えるため、使用者は底部材３Ａより上方に延出する取出部５Ａを把持することで、底部材３Ａを収納部本体２Ａに容易に着脱できる。
【０１００】
本実施形態に係る収納ボックス１Ａによれば、包丁収容部５Ａが、底部材３Ａから上方に延出して設けられる取出部としての機能を兼ねるため、清潔に保つことが望まれる包丁収容部５Ａを収納部本体２Ａから容易に取り出すことができ、容易に清掃できる。また、把手として機能する取出部を包丁収容部とは別に設ける場合に比べて収納部本体２Ａの収納スペースを有効活用することができる。
【０１０１】
本実施形態に係る収納ボックス１Ａによれば、収納部本体２Ａの長辺側面と鋭角または鈍角を成す傾斜面４１Ａが底部に設けられるため、例えば、俎板等の平板状の物品を起立状態で収容する場合に、平板状の物品の下端部が傾斜面４１Ａに沿って底面部４Ａの下部に誘導される。その結果、平板状の物品が傾斜面４１Ａにより傾斜した状態が保持され、収納ボックス１Ａ内で安定して収容される。
【０１０２】
本実施形態では、包丁収容部５Ａにパン切用ナイフ収納部５０２及び長物収納部５１０を備える例を示したが、包丁収容部５Ａの構成はこれに限定されない。
【０１０３】
本実施形態では、包丁収容部５Ａに包丁ロック機構を備える例を示したが、包丁ロック機構は必須の構成ではない。
【０１０４】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【０１０５】
１，１Ａ  収納ボックス
２，２Ａ  収納部本体
３，３Ａ  底部材
４，４Ａ  底面部
５  間仕切壁（取出部）
５Ａ  包丁収容部（取出部）
５Ｂ  取出部
２２，２２Ａ  内面
２５  ガイド部
２４，２４Ａ  短辺側面
２７，２７Ａ  係止孔（凹部）
３１，３１Ａ  突起部（突部）
４１Ａ  傾斜面
５１  ガイド溝（被ガイド部）
１０３  前板（板材）
１０２  抽斗（収納部）
２３１，２３２，２３１Ａ，２３２Ａ  長辺側面
【図１】
2019115599.tif 000003
【図２】
2019115599.tif 000004
【図３】
2019115599.tif 000005
【図４】
2019115599.tif 000006
【図５】
2019115599.tif 000007
【図６】
2019115599.tif 000008
【図７】
2019115599.tif 000009
【図８】
2019115599.tif 000010
【図９】
2019115599.tif 000011
【図１０】
2019115599.tif 000012
【図１１】
2019115599.tif 000013
【図１２】
2019115599.tif 000014
【図１３】
2019115599.tif 000015
【図１４】
2019115599.tif 000016